(57)【要約】【課題】翼部４を低速で回転させることにより湖沼の水を循環させて浄化する湖沼循環装置１では、水没している部分に水苔や貝類が付着し、これらを除去する作業が煩わしい。【解決手段】翼部４にフロートを取り付け、翼部４のみが水と接して駆動部２が水面から所定の高さ位置で保持されて水と接触しないようにした。【選択図】  図４
2004321944.tif 000002
【特許請求の範囲】
【請求項１】
回転防止手段を備えた駆動部の底面から回転軸を突出させ、この回転軸に放射状に伸びる複数本の回転アームを取り付けると共に、各回転アームの先端に、フロートを備えた翼部を取り付け、各フロートの浮力によって駆動部を水面から所定の高さ位置に保持した状態で回転アームを回転させ、翼部によって水面部の水を外側に排除することによって湖沼の底部からの上昇流を発生させて湖沼内の水を対流させることを特徴とする湖沼浄化装置。
【請求項２】
上記翼部を回転アームに対して着脱自在に取り付けるようにしたことを特徴とする請求項１記載の湖沼浄化装置。
【請求項３】
翼部と回転アームとを垂直な連結部を介して連結すると共に、翼部を下方から覆う袋体を取り付けた際に、連結部に袋体の開口部分を縛り付けた状態で、この開口部分を覆い開口部分から袋体内に雨水等が侵入することを防止するカバー手段を設けたことを特長とする請求項１または請求項２に記載の湖沼浄化装置。
【請求項４】
上記連結部に、この連結部に袋体の開口部分を縛り付けた状態で袋体の内外を連通させる連通手段を形成したことを特徴とする請求項３に記載の湖沼浄化装置。
【発明の詳細な説明】
【０００１】
【発明の属する技術分野】
本発明は、自然界の湖沼や養殖池などの水を撹拌させることにより、水の浄化を行う湖沼浄化装置に関する。
【０００２】
【従来の技術】
自然界の湖沼や養殖池、あるいはため池などでは、内部の水を循環させなければ水質が低下する。ところが、スクリューを水面から水没させて、このスクリューを回転させることにより湖沼等の底部から水を吸い上げる方法では、大型のスクリューを比較的高速で回さなければならないため莫大な電力を必要とする。ところが、このような莫大な電力を投入することはエネルギー消費の面で無理があり、限られた電力しか投入することができない。そのため現実的には一部の水しか吸い上げることができず、有効に水を撹拌することができない。
【０００３】
そこで、大きな半径を描いて翼部をゆっくりと回転させることによって水面近くの水を外側に排除し、排除された部分に湖沼の下側から水が吸い上げられることによって湖沼全体の水を効率よく撹拌するようにしたものが知られている（例えば、特許文献１および特許文献２参照）。
【０００４】
上記従来のものでは、アンカーや岸に係留され回転が防止された駆動部を備えている。この駆動部内にはモーターとこのモーターの回転速度を減速させるギヤ式の減速装置が内蔵されている。減速装置の出力軸である回転軸は駆動部の底部から下方に向かって突出されており、回転軸には回転アームを介して翼部が取り付けられている。
【０００５】
なお、この湖沼浄化装置を水面に浮かせるための浮力を発生させるフロートは駆動部に取り付けられており、回転アームおよびその先端に取り付けられた翼部は共に水没した状態で回転するように構成されている。
【０００６】
【特許文献１】
特許第３３６００７５号公報（第１図、第２図）
【０００７】
【特許文献２】
特許第３１６９３４０号公報（図４、図８）
【０００８】
【発明が解決しようとする課題】
湖沼の水が淡水である場合には、水没している部分に水苔が付着する。また、エビなどの養殖池のように、海水を導入している場合には水没している部分にフジツボ等の貝類が付着する。水苔や貝類が付着すると撹拌する効率が低下するため、付着した水苔や貝類を定期的清掃し除去する必要がある。
【０００９】
ところが、従来の湖沼浄化装置では、回転アームおよび翼部の全体が水没し、さらに駆動部に取り付けたフロートの下部も水没しているため、湖沼浄化装置全体を一旦水面から陸地に引き上げ、広い面積にわたって付着した水苔や貝類の除去作業を行わなければならない。このため、作業の多くの費用と長時間を要する。
【００１０】
そこで本発明は、上記の問題点に鑑み、水苔や貝類が付着しても容易に除去することのできる湖沼浄化装置を提供することを課題とする。
【００１１】
【課題を解決するための手段】
上記課題を解決するために本発明による湖沼浄化装置は、回転防止手段を備えた駆動部の底面から回転軸を突出させ、この回転軸に放射状に伸びる複数本の回転アームを取り付けると共に、各回転アームの先端に、フロートを備えた翼部を取り付け、各フロートの浮力によって駆動部を水面から所定の高さ位置に保持した状態で回転アームを回転させ、翼部によって水面部の水を外側に排除することによって湖沼の底部からの上昇流を発生させて湖沼内の水を対流させることを特徴とする。
【００１２】
従来の湖沼浄化装置はフロートを駆動部に設けると共に、回転アームおよび翼部を水没させていたが、上記構成では翼部のみが水没し、回転アームや駆動部が水没することはない。そのため、水苔や貝類が付着する面積が従来の湖沼浄化装置に比べて非常に狭くすることができ、水苔や貝類の除去作業が容易になる。
【００１３】
また、上記翼部を回転アームに対して着脱自在に取り付けるようにすれば、湖沼浄化装置全体を陸揚げしなくても、水面上で翼部の交換をすることができ、水苔や貝類が付着した翼部のみを自ら引き上げて除去作業をすることができる。
【００１４】
さらに、翼部と回転アームとを垂直な連結部を介して連結すると共に、翼部を下方から覆う袋体を取り付けた際に、連結部に袋体の開口部分を縛り付けた状態で、この開口部分を覆い開口部分から袋体内に雨水等が侵入することを防止するカバー手段を設ければ、水苔や貝類は翼部を覆う袋体に付着する。したがって、この袋体を交換するだけで水苔や貝類を翼部から除去することができる。なお、カバー手段が設けられているので、袋体内に雨水等が侵入することが防止される。
【００１５】
ところで、上記連結部に、この連結部に袋体の開口部分を縛り付けた状態で袋体の内外を連通させる連通手段を形成しておけば、袋体内に残存する空気が気温の上昇等により膨張し、袋体が翼部から外れるという事故を防止することができる。
【００１６】
【発明の実施の形態】
図１および図２を参照して、本発明による湖沼浄化装置１は、中央部分に駆動部２を備え、この駆動部２から等間隔で３本の回転アーム３が放射状に延びている。そして、各回転アーム３の先端には翼部４が取り付けられている。
【００１７】
駆動部２内には図示しないが電動モーターとその電動モーターの回転速度を減速する減速装置とが内蔵されている。そしてこの減速装置の出力軸である回転軸２３が駆動部２の下方に突出されている。
【００１８】
この回転軸２３に上記の回転アーム３が固定されている。一方、駆動部２には１対の固定ロッド２１が取り付けられており、両固定ロッド２１の先端には固定ロープ２２が取り付け得られている。この固定ロープ２２は岸Ｂの固定体２４に結びつけられている。なお、一方の固定ロープ２２と固定ロッド２１に這わせて岸Ｂから電力線５を駆動部２に接続した。駆動部２内の電動モーターにはこの電力線５を介して電力が供給され、電動モーターが駆動する。
【００１９】
電動モーターが駆動されると回転軸２３が低速で回転する。駆動部２は固定ロッド２１および固定ロープ２２からなる回転防止手段によって回転しないように構成されているので、回転軸２３が回転すると回転アーム３および翼部４は回転する。翼部４が回転すると、水面近傍の水が翼部４によって外側に排除される。水面近くの水が排除されると、それを補うため下方から水が上昇し、湖沼全体の水が循環される。
【００２０】
図３を参照して、本実施の形態では回転アーム３の先端に対して翼部４を着脱自在に取り付けられるようにした。翼部４は上端に有底の四角筒状のジョイント部４１を備えており、翼部４のベース板４２に対して円筒状の連結部４３を介して連結されている。この連結部４３には笠状のカバー４４が取り付けられている。また、ベース板４２の下面には板状の翼本体４５が固定されている。
【００２１】
ジョイント４１の内部に回転アーム３の先端を差し込み、ジョイント４１に設けた貫通穴４１ａと回転アーム３に設けた貫通穴３ａとを一致させ、ボルト６を挿通し、ボルト６が抜けないようにナット６１をボルト６に螺合させるようにした。なお、翼部４を回転アーム３に固定するにはボルト６以外の適宜の固定手段を用いてもよい。
【００２２】
図４を参照して、翼本体４５の基部を挟むように１対のフロート４６をベース板４２の下面に取り付けた。このフロート４６の浮力は、３つの翼部４の合計浮力によって駆動部２を水面から所定の高さに十分に保持できるように設定されている。なお、本実施の形態では翼本体４５の角部４５ａを丸めた。
【００２３】
図５を参照して、翼部４に水苔や貝類が付着する場合には、翼部４を下方から樹脂製の袋体７で覆えばよい。本実施の形態では、袋体７で翼部４を下方から覆い、袋体７の開口を連結部４３に集め、ゴムバンド７１で袋体７の開口を閉じると共に翼部４に対して袋体７を固定するようにした。
【００２４】
なお、袋体７の開口はカバー４４の下方に位置させ、雨水等が袋体７の開口から袋体７内に侵入しないようにした。このように翼部４に袋体７を被せると、水苔や貝類は翼部４ではなく袋体７に付着する。そのため袋体７を交換するだけで水苔や貝類を除去することができる。また、翼本体４５の角部４５ａを丸めたので、この角部４５ａで袋体７を破るおそれがない。
【００２５】
本実施の形態では、予備の翼部４に袋体７をセットし、湖沼の水面に配置されている湖沼浄化装置１に作業船等で接近する。そして、その湖沼浄化装置１に取り付けられている翼部４のうちの１つを取り外して新しい翼部４と水上で交換する。使用済みの翼部４は作業船上に引き上げ袋体７を交換して他の使用済みの翼部４と交換する。このように順次翼部４を交換していけば、湖沼浄化装置１全体を陸揚げすることなく、すべての袋体７を交換することができる。
【００２６】
ただし、袋体７を交換した翼部４を水中に投下した場合、袋体７内の空気が抜けないと袋体７が翼部４に密着しない。そこで、例えば図６に示すように、連結部４３に突畝４３ａを設け、ゴムバンド７１で袋体７の開口を締め付けても、袋体７と連結部４３との間に空気抜きの隙間が形成されるようにした。
【００２７】
あるいは、図７に示すように、ゴムバンド７１によって締め付けられる部分４３ａを上下に挟んで１対の開口４３ｂを設け、両開口４３ｂが連結部４３の内部を介して連通するようにし、袋体７内の空気が抜けるようにしてもよい。
【００２８】
【発明の効果】
以上の説明から明らかなように、本発明は、翼部だけが水に接し、駆動部を水面から所定の高さ位置に保持するように構成したので、水苔や貝類は翼部のみに付着し、そのため付着する面積を狭くすることができ、付着した水苔や貝類の除去作業が容易になる。
【図面の簡単な説明】
【図１】本発明の一実施の形態の構成を示す図
【図２】その側面図
【図３】翼部の取付構造を示す図
【図４】フロートの構造を示す図
【図５】袋体を翼部に取り付けた状態を示す図
【図６】袋体の空気を抜く構造を示す図
【図７】袋体の空気を抜く他の構造を示す図
【符号の説明】
１  湖沼浄化装置
２  駆動部
３  回転アーム
４  翼部
５  電力線
４６  フロート
【図１】
2004321944.tif 000003
【図２】
2004321944.tif 000004
【図３】
2004321944.tif 000005
【図４】
2004321944.tif 000006
【図５】
2004321944.tif 000007
【図６】
2004321944.tif 000008
【図７】
2004321944.tif 000009